Podtech/llm-jp-corpus-v4-ja_patent huggingface dataset:
(57)【要約】【課題】大型温室や倉庫は一般に鉄骨構造であるが、代わりに普及サイズの直管パイプと連結材により、安価で強度ある構造を提供する。【解決手段】図５のごとく内外二重の骨材と配設された板状連結材を有する柱材と屋根材で構成されるハウスで、必要な範囲内で鉄骨並みの強度を確保させるために、垂直な外側直管パイプと傾設の内側直管パイプの間に配設する板状連結材が締結材で接合構成された柱構造と、屋根の外形を決める斜設の外側直管パイプと内側に略併設の直管パイプを複数ヶ所に配設する板状連結材で締結接合構成された梁構造で成り立つハウスにおいて、その連結材が屋根積雪加重などにより内外パイプの引張と圧縮の差で生じる剪断力を、トラスの斜材のように、役割負担し、又それが現場での簡単組立技術で建築可能になる構造。【選択図】図５
2019141021.tif 000002
【特許請求の範囲】
【請求項１】
図３ように、パイプ曲面と接合面が一致する曲げツカミ部と併設パイプ間の内法に一致しパイプ間の巾を決める板状連結材と接合面が一致する平部を有するツカミ金具材は、パイプに締結させるためにパイプと接する曲げ部の曲面に締結用穴が複数ヶ所設けられており、そのパイプ締結穴の位置は、パイプ間の接続材とは反対側に振れた位置に設けられている。
【請求項２】
図３のように、曲げ力に対して、併設パイプ間で生じる剪断力で受ける連結材の回転において、パイプとの引張側接し部ｓ部で若干の弾性変形が可能なように、且つ、圧縮側接し部ｔ部では、パイプとの接し面で圧接による破壊が生じない程度に、ツカミ金物の曲がり境界位置が決定され、その位置は、パイプ外径寸法より小さい。
【発明の詳細な説明】
【技術分野】
【０００１】本発明は、図１の例のように平面で構成される梁間１０メートル超えのハウスを一般的に足場などにみられる市販サイズパイプを骨材として、鉄骨並みの強度を確保することができる連結構造に関する。
【背景技術】
【０００２】従来から、パイプハウスの補強方法としては、内外併設のパイプで簡易的な連結材をもって強度を上げる方法や、又  トラス構造にみられる斜材溶接で事前に組み立てられたものを現場で組み立てる方法があります。前述については、その完成強度は、一定の加重に対して、鉄骨強度に及ばず、また、後述については、堅牢ではあるが、溶接技術、表面処理技術や現場組み立てなどの多数の技術者が必要である。
【発明の概要】
【０００３】図２は併設のパイプを連結構成部材で結合させた、一体型のものと分割型の２形態を外観斜視図で示すものであり。一体型のリブの高さ位置は、分割タイプの連結材の厚みに相当する。
【０００４】図３は図２の分割型を分解し、パイプ曲面に一致させ複数ヶ所締結穴を有した曲がり部のパイプツカミ部と、板状連結材に結合させるために複数ヶ所の締結穴を設けた平面部で構成されたツカミ金物と、併設パイプの内法に合わせた板状連結材を示す分解斜視図である。
【発明の効果】
【０００５】請求項１によると、併設パイプの曲げ加重により、連結材には回転が生じ，それによって引張側接し部ではパイプ締結材への剪断力が生じる。初期は曲げのツカミ力でそれに抵抗するが、さらに回転力が増してくるとパイプとの接合部の曲げ境界部から弾性変形を開始しはじめる。その場合でも締結穴が引張力と逆方向に直角以上振れているので、締結材への剪断力が軽減される。そのため、締結材の本数が減らせる効果や、締結材のサイズの小型化の効果がある。【０００６】請求項２によると、併設パイプにおいて、設定荷重以上で連結材の一部が若干の弾性変形することで、複数ヶ所に配設された、連結材すべてが、併設パイプ間で生じる剪断力を分担することになり、図４のように柔剛を併せ持つ特性が実現することで、局部への集中荷重による早期破壊を防止し、全体の破断限界値を上昇させる効果が期待できる。【０００７】梁間に直交する桁行方向には一般的に筋交を設けるが、代わりにこの構造を設けることで、図７に示す通路状の開口部が多く設置できる、さらに、連棟の場合においては、谷部の桁行方向の内部間の通路の数が最大限形成されることも可能になる。【０００８】屋根へも筋交の代わりに図７のように複数ヶ所配置することで、局部集中による接点破断が生じない。【０００９】基礎においては、通常必要な堅固な現場打コンクリート基礎への鉄骨のボルト締結などが必要となるが、垂直と斜設の併設柱においては、柱脚部では剪断による回転力が基礎に伝わりにくく単純支持程度でよいので、既成品の基礎ブロック埋設か、又軟弱地盤においては、杭などの沈下防止策を手だてする程度でよい、これは、農業ハウスの場合解体時のコスト削減だけでなく、圃場の保全につながる。又これは同時に専門的技術者の組立コストの削減だけでなく、分解、移設、メンテナンス、再利用が容易なことも合わせれば、消費者にとってかなりの経済的メリットが期待できる。【００１０】図３のような分割タイプの連結方法については、特に豪雪地域において、耐加重強度を向上させるために斜設柱の角度の程度を増す必要があるので、種類の増大を初期の普及時より抑制させ、また成形プレスの大型化によるコスト上昇を抑え、さらに部品共通化による部品点数の削減による流通の円滑化によるコスト削減が期待できる。【００１１】図７の桁行のように、併設パイプを直線に並べることで骨材３本によりできた柱構造体は、強度に関して、約４倍のタワミ強度や、約２倍以上の断面性能を有する曲げ強度を上昇させる効果がある。これは、同時に鉛直柱の節約になる実施例です。
【図面の簡単な説明】
【図１】は本発明で一般な組み立て例の全体斜視図（一部透過斜視図）である。
【図２】は、本発明の組み立てで必要な最も簡単な連結材の例の斜視図である。［図２］と［図３］は、環境条件によってさまざまな大きさが必要になってくるので、施工上又、流通過程などでの管理上、共通化による、経済的利益を優先した分割タイプの例の斜視図です。
【図３】は、［図２］の中の併設パイプの内法に合わせた板状連結材を表示するための分解斜視図です。
【図４】は、併設され、それぞれに圧縮、引張を受けるパイプ間の連結構造体が受ける剪断力により生じる回転力に抵抗するときの、荷重とひずみを表現した特性のイメージ図です。
【図５】は、内部の空間を最重要視した場合の施工例です。
【図６】は、梁間の組み立てに必要な簡素な組み立て例です。
【図７】は壁において、柱の間隔を広げる例を示し、又屋根においては、筋交の代わりに、設置した応用施工例です。
【図１】
2019141021.tif 000003
【図２】
2019141021.tif 000004
【図３】
2019141021.tif 000005
【図４】
2019141021.tif 000006
【図５】
2019141021.tif 000007
【図６】
2019141021.tif 000008
【図７】
2019141021.tif 000009
(57)【要約】【課題】  しつけ糸が、使用・収納・保管時にもつれないようにするために、本体に取り付けた帯状紐に仕切りを設け、本体を袋状にするための留め具を設けた、しつけ糸の整理・収納・保管用具を提供する。【解決手段】  本体（５）の内側に帯状紐（１）（２）を取り付け、帯状紐（１）（２）に仕切り（ａ）（ｂ）（ｃ）（ｄ）を設け、本体（５）の上下に対となる留め具（３）を設けた。以上を特徴とするしつけ糸の整理・収納・保管用具である。【選択図】図１
2019141546.tif 000002
【特許請求の範囲】
【請求項１】
シートの平面に帯状紐（１）（２）を取り付け、帯状紐（１）（２）に仕切り（ａ）（ｂ）（ｃ）（ｄ）を設け、シートの上下に対となる留め具（３）を設けた、しつけ糸の整理・収納・保管用具。
【発明の詳細な説明】
【技術分野】
【０００１】  本発明は、しつけ糸が、使用・保管時にもつれないようにするために、本体に取り付けた帯状紐に仕切りを設け、本体を袋状にするための留め具を設けた、しつけ糸の整理・収納・保管に関するものである。
【背景技術】
【０００２】  従来、しつけ糸の整理・保管には、しつけ糸を束ねている商品表示ラベルがあった。
【先行技術文献】
【特許文献】
【０００３】
【特許文献】
【発明の概要】
【発明が解決しようとする課題】
【０００４】  従来の整理・保管方法では、しつけ糸を使用するとき及び、しつけ糸の保管について、次のような問題があった。
（イ）一般的にしつけ糸はかせになっており、商品表示ラベルで１、２箇所を束ねて販売されている。しつけ糸を使用するときは輪になったかせの一箇所を断ち切ったしつけ糸（以下しつけ糸）の糸束から一本ずつ引き抜いて使用する。商品表示ラベルが破損等でしつけ糸から脱落すると、糸どうしがもつれやすく、引き抜く糸が途中で切れしまい、本来の長さで使用できない。また、切れ残った糸が、糸のもつれをさらに悪化させる。
（ロ）裁縫箱等の中で保管するときに、一緒に収納している他の糸等と絡まることがあり、保管がしにくかった。
本発明は、これらの問題点を解決するためになされたものである。
【課題を解決するための手段】
【０００５】  本体（５）の内側に帯状紐（１）（２）を取り付け、帯状紐（１）（２）に仕切り（ａ）（ｂ）（ｃ）（ｄ）を設け、本体（５）の上下に対となる留め具（３）を設けた。以上を特徴とするしつけ糸の整理・収納・保管用具である。
【発明の効果】
【０００６】  （イ）しつけ糸を、しつけ糸の長さの半分を帯状紐（１）（２）に設けた仕切り（ａ）から仕切り（ｂ）の間を通して引き出し、残りの半分を同じく帯状紐（１）（２）に設けた仕切り（ｃ）から仕切り（ｄ）の間を通して引き出して使用する。しつけ糸を、常に半分の長さずつ左右に振り分けた状態で整理することができる。しつけ糸を使用するときは、しつけ糸の長さの中央から一本ずつ引き抜いて取り出す。引き抜くときに糸どうしがもつれず、糸が途中で切れないので、本来の長さで使用できる。
（ロ）帯状紐（２）の仕切り（ｂ）（ｄ）から引き出したしつけ糸を、本体（５）の幅に収まるように適宜に折り曲げ、帯状紐（２）の上に置く。折り線（ｅ）（ｆ）よりそれぞれ折り上げ留め具（３）で留め、本体（５）を袋状にした中にしつけ糸を収納・保管する。しつけ糸が本体（５）の中に安定して納まるので収納したしつけ糸どうしがもつれない。また、しつけ糸が本体（５）から飛び出さないので、一緒に保管する他の糸等とも絡まらず、しつけ糸を最後まで使用することができ無駄がなくなる。
【図面の簡単な説明】
【０００７】
【図１】  本発明の内側平面図である。
【図２】  本発明の外側平面図である。
【図３】  本発明の袋状にした正面図である。
【図４】  本発明の袋状にした側面図である。
【発明を実施するための形態】
【０００８】  以下、本発明を実施するための形態について説明する。
本体（５）の内側に帯状紐（１）（２）を取り付け、帯状紐（１）（２）に仕切り（ａ）（ｂ）（ｃ）（ｄ）を設ける。
本体（５）の上下に対となる留め具（３）設ける。
本体（５）の上部に下げ紐（４）を設ける。
本発明は、以上のような構造である。
これを使用するときは、しつけ糸を、しつけ糸の長さの半分を帯状紐（１）（２）に設けた仕切り（ａ）から仕切り（ｂ）の間を通して引き出し、残りの半分を同じく帯状紐（１）（２）に設けた仕切り（ｃ）から仕切り（ｄ）の間を通して引き出して使用する。しつけ糸を、常に半分の長さずつ左右に振り分けた状態で整理することができる。
しつけ糸を使用するときは、帯状紐（１）の仕切り（ａ）（ｃ）の上部に出たしつけ糸が、しつけ糸の長さの中央であるので、そこから一本ずつ引き抜いて取り出す。帯状紐（１）（２）に設けた仕切り（ａ）（ｂ）（ｃ）（ｄ）の作用により、引き抜くときに糸どうしがもつれず、糸が途中で切れないので、本来の長さで使用できる。
しつけ糸を保管するときは、帯状紐（２）の仕切り（ｂ）（ｄ）から引き出したしつけ糸を、本体（５）の幅に収まるように適宜に折り曲げ帯（２）の上に置く。折り線（ｅ）（ｆ）よりそれぞれ内側に折り上げ、留め具（３）で留めて本体（５）を袋状にする。袋状にした本体（５）の作用により、しつけ糸が本体（５）の中に安定して納まり、収納したしつけ糸がもつれない、また、しつけ糸が本体（５）から飛び出さないので他の糸等とも絡まらず、しつけ糸を最後まで使用することができ無駄がなくなる。
袋状にした本体（５）は自立する。下げ紐（４）は袋状にした本体（５）の前後の識別になり、フック等に掛けて保管することもできる。
【符号の説明】
【０００９】    １  帯状紐
２  帯状紐
３  留め具
４  下げ紐
５  本体
ａ  仕切り
ｂ  仕切り
ｃ  仕切り
ｄ  仕切り
ｅ  折り線
ｆ  折り線
【図１】
2019141546.tif 000003
【図２】
2019141546.tif 000004
【図３】
2019141546.tif 000005
【図４】
2019141546.tif 000006
(57)【要約】【課題】従来では殻のついた卵を沸騰したお湯に入れ加熱し完成後に取り出し殻をむく作業になる。この際殻が上手に剥くことができない場合がある。また細かく殻が砕けるので後片づけが面倒である。殻の付いた卵の殻を剥く作業では火傷を負うリスクもある。【解決手段】容器に生卵を割り入れ容器の蓋を閉め後は従来と同様に加熱する。殻付きでは加熱状況も見えないが半透明容器の為火の通り加減が外から分かる。完成した卵は容器の蓋を開けることによって取り出すことができる。図面２の通り生卵を入れる際は４のパーツ３のパーツ２のパーツを全てつなぎ合わせ２のパーツ上部より卵を割り入れる。卵を入れた後１のパーツを２のパーツとつなぎ合わせ蓋をする。蓋をした状態で沸騰したお湯に入れ加熱する。完成後の中身を取り出す際は１のパーツを外しその次に３のパーツを外し２のパーツを４のパーツから外し取る。【選択図】図２
2019141549.tif 000002
【特許請求の範囲】
【請求項１】
生卵を入れ加熱しても従来のゆで卵と同様の完成体で加熱調理ができる容器。
【請求項２】
卵型の半透明調理容器。
【請求項３】
分割でき組み上げると卵型になり底部には転倒しないように自立するスタンド付きの容器。
【請求項４】
食材を入れそのまま茹で調理ができる容器。
【請求項５】
頭部に摘まみと穴が開いており器具を通すことができる容器。
【発明の詳細な説明】
【技術分野】
【０００１】本発明は、ゆで卵の殻をむく手間を省いたゆで卵を作る容器に関するものである。生卵の状態から容器へ殻を割った卵を入れて、沸騰したお湯の中に入れて後は従来のゆで卵を作る要領と同じように火が通るまで茹でる。卵一つに対して容器一つ分とする。【０００２】半透明容器の為、中の卵の火の通り加減が一目で分かる点も良い。茹であがったゆで卵は、容器の蓋を開けて取り出し、お好みで召し上がることができる。【０００３】従来のゆで卵の作り方は、卵の殻が付いたままの状態で茹でて、火が通った後、取り出し殻をむいて食する。ただこの場合、きれいに殻をむけない場合や、時間がかかり、散らばった殻のゴミがでるといった手間の部分がある為、本容器の発明まで至る。【０００４】加熱中に容器が転倒した場合も頭部にある穴に器具を通して向きの修正ができる。
【発明の概要】
【発明が解決しようとする課題】
【０００４】殻が付いたままでゆで卵を作ると、後に殻を砕き剥いていく手間がある。また卵によっては綺麗に剥けないものも有り、散乱した殻を清掃する手間がいる。
【課題を解決するための手段】
【０００５】本発明は、茹でる前に殻を容器へ割り入れるため、殻を剥いた後の手間を省く事ができる。
【発明の効果】
【０００６】本発明容器を使って卵をゆでると、殻をむく手間が無く、茹でる際に火の通り具合が確認でき、また容器を使った卵以外の創作料理も可能となる。後片付けの時間短縮が可能となる。
【図面の簡単な説明】
【０００７】
【図１】卵を入れて茹でる状態の図面になる。（９）と（１０）の接続部分を外し、容器の中へ生卵を割り入れる。（９）と（１０）を取り付け沸騰の中へ倒さず入れ茹でる。
【０００８】
【図２】茹であがった卵を取り出す際は（１）のパーツを外し、その次に（３）のパーツを外し、（８）と（１１）を外して卵を取り出す。
【０００９】全４パーツに分解できるようになっており、入れる作業と出す作業では取り外し部分が異なる。
【図１】
2019141549.tif 000003
【図２】
2019141549.tif 000004
(57)【要約】【課題】理美容鋏は整髪する際、静刃と動刃のかみ合わせの調整が良好でないと髪を切る事が困難となり、スムーズな整髪が行えなかった。この刃のかみ合わせの調整は職人にとって熟練を要するものであった。【解決手段】動刃（Ｃ）のネジ部（Ｈ）にナット（Ｊ）とワッシャ（Ｉ）を固定し、裏梳き（うらすき）部分に平板（Ｇ）を３枚入れた。二重ネジ部（Ｄ）にスプリングバネ（Ｅ）を差込み、静刃（Ｂ）のネジ部（Ｆ）に装着したのち、二重ネジ部（Ｄ）を用いナット（Ｊ）に差込み固定した。強く固定しても、ややゆるめに固定しても、切れ味には差はあまりなかった。【選択図】図２
2019141545.tif 000002
【特許請求の範囲】
【請求項１】
静刃（Ｂ）と動刃（Ｃ）を固定する二重のネジ部（Ｄ）にスプリングバネ（Ｅ）を装着し、さらに静刃と動刃の間に１枚以上の薄い平板（Ｇ）を有する美理容鋏。
【請求項２】
二重のネジ部（Ｄ３）上部ネジ部（Ｄ１）によって静刃（Ｂ）と動刃（Ｃ）の隙間の間隔を調整し、更に下部ネジ部（Ｄ２）によってスプリングバネ（Ｅ）に対する圧力を調整する機能を有する請求項１の理美容鋏。
【発明の詳細な説明】
【技術分野】
【０００１】本発明は理美容の際、整髪を行い場合に用いられる理美容鋏に関するものである。
【技術背景】
【０００２】理美容鋏は整髪する際、静刃と動刃のかみ合わせの調整が良好でないと髪を切る事が困難となり、スムーズな整髪が行えなかった。この刃のかみ合わせの調整は職人にとって熟練を要するものであった。
【０００３】この問題を解決する為、ネジ部にベアリングを挿入したり、或いはネジ部の横に溝を入れたりする方法が用いられた。しかし、このような加工方法は理美容鋏の製造工程を複雑にするものであった。
【先行技術文献】
【０００４】特願２０００−２０２１７７号
特願２０１０−２８４３８２号
特願２０１１−１４７１９９号
特願２０１１−２０８６６３号
【発明が解決しようとする課題】
【０００５】本発明は、理美容鋏の静刃と動刃のかみ合わせを良好なものとすることで理美容師が整髪の際、理美容鋏を難なく使いこなせる事の出来る製品を、鋏の製造工程上簡便にする方法を課題とした。
【課題を解決する為の手段】
【０００６】本発明では、静刃と動刃を固定する部分に二重ネジ部とスプリングバネを装着した。二重ネジ部は上部ネジ部と下部ネジ部によって構成され、上部ネジ部の開閉によって静刃と動刃の間隔が調整され、下部ネジ部の開閉によってスプリングバネに対する圧力が調整される。この二重ネジ部によって本発明における課題を解決するものである。
【０００７】更に、静刃と動刃の隙間に薄い平板を入れることで、刃先の広がりを抑えることができた。
【図面の簡単な説明】
【０００８】
【図１】は理美容鋏の全体図である。
【図２】は理美容鋏の構成部品である。
【図３】は理美容鋏の二重ネジ部によって、静刃（Ｂ）と動刃（Ｃ）が固定された状態を示すものである。
【発明を実施する為の形態】
【０００９】一般的な理美容鋏は、ネジ部に固定の為にマイナスドライバーを用いるものや、専用の器具を用いなければならないものがある。しかし、どのような形状であれ、鋏の切れ味はネジ部の固定具合が大きな影響をもたらす。二重ネジ部とスプリングバネを用いる事で、好みの開閉感を簡便に調整することが出来た。
【実施例１】
【００１０】動刃（Ｃ）のネジ穴（Ｈ）にナット（Ｊ）とワッシャ（Ｉ）を固定し、裏梳き（うらすき）部分に平板（Ｇ）を３枚入れた。ネジの調節が出来る二重ネジ部（Ｄ３）にスプリングバネ（Ｅ）を差込み、静刃（Ｂ）のネジ穴（Ｆ）に装着したのち、二重ネジ部（Ｄ３）を用いナット（Ｊ）に差込み固定した。強く固定しても、ややゆるめに固定しても、切れ味には差はあまりなかった。二重ネジ部（Ｄ）の上部ネジ部（Ｄ１））はボルトを有し、開閉する事で静刃（Ｂ）と動刃（Ｃ）の間隔が調整される。二重ネジ部（Ｄ３）の下部ネジ部（Ｄ２）はボルトとは独立した動きができ、開閉する事でスプリングバネ（Ｅ）に対する圧力が調整され、切り方や髪の量によって、好みの開閉感を簡便に調整できた。
【符号の説明】
【００１１】（Ａ）は、理美容鋏である。
（Ｂ）は、理美容鋏の静刃である。
（Ｃ）は、理美容鋏の動刃である。
（Ｄ）は、静刃と動刃を固定する二重ネジ部の明細を示す。
（Ｄ１）は、二重ネジの上部ネジ部である。
（Ｄ２）は、二重ネジの下部ネジ部である。
（Ｄ３）は、上部と下部ネジ部を組み合わせたものである。
（Ｅ）は、スプリングバネである。
（Ｆ）は、静刃のネジ穴である。
（Ｇ）は、静刃と動刃の間に用いる平板である。
（Ｈ）は、動刃のネジ穴である。
（Ｉ）は、ネジ部に用いるワッシャでの
（Ｊ）は、ネジ部に用いるナットである。
（Ｋ）は、静刃の断面である。
（Ｌ）は、動刃の断面である。
【図１】
2019141545.tif 000003
【図２】
2019141545.tif 000004
【図３】
2019141545.tif 000005
(57)【要約】      （修正有）【課題】室内温度の下がる冬期において、家庭用浴室の入浴にはヒートショックによる失神、心筋梗塞、脳梗塞、突然死の恐れがあった。ヒートショック対策のできる家庭用浴室と脱衣棚を提供する。【解決手段】寒い脱衣所でなく、浴室内で下着を脱衣し、脱いだ下着を収納する脱衣棚１を浴室内の壁面に設ける。【選択図】図１
2019141548.tif 000002
【特許請求の範囲】
【請求項１】
家庭用浴室の浴室内の壁面に、立上がり部分を高くした、浴室内で脱衣した衣服を収納するための脱衣棚を設ける。
但し、衣服の出し入れ口は、高くしない。
【発明の詳細な説明】
【技術分野】
【０００１】  本発明は、室内温度の急激な変化に伴う、身体の血圧変動によるヒートショック対策のために発案された家庭用浴室に関するものである。
【背景技術】
【０００２】  従来、家庭用浴室のヒートショック対策として、脱衣所に暖房機器を設置したり、浴室暖房機能付きの浴室にするのが一般的であった。
【発明の概要】
【発明が解決しようとする課題】
【０００３】  従来、室内温度の下がる冬期において、家庭用浴室の入浴には、ヒートショックによる失神、心筋梗塞、脳梗塞、突然死の恐れがあった。【０００４】  その対策として、暖房機器の設置が推奨されているが、機器の設置費、光熱費、脱衣所においては、火災の危険性から実施には多くの課題があった。
【課題を解決するための手段】
【０００５】  家庭用浴室の浴室内の壁面に、立上がり部分を高くした、浴室内で脱衣した衣服を収納するための脱衣棚を設ける。
但し、衣服の出し入れ口は、高くしない。
【発明の効果】
【０００６】  本発明の家庭用浴室は、脱衣所で上着を脱ぎ、浴室内で下着を脱ぎその下着を浴室内の脱衣棚に収納することができるので、寒い脱衣所で全裸にならなくてもよい。【０００７】  浴室内は、浴槽の蓋を外してお湯を張ったり、シャワー状態でお湯を張ることにより、脱衣所よりも暖かくすることができるので、浴室内で全裸になることによりヒートショックによる突然死等の事故確率を下げることができる。【０００８】  従来の浴室内の棚は、シャンプー容器等が見え易くまた、取り出し易くするために、立上がり部分は低く設計されていた。【０００９】  本発明の脱衣棚は、棚の立上がり部分が高いので、衣服の落下を防ぎ、浴室側から棚の中の衣服が見えにくくなり、視覚的に浴室内の美観を保つことができる。
【図面の簡単な説明】
【００１０】
【図１】    本発明に係る浴室内の説明図
【発明を実施するための形態】
【００１１】  家庭用浴室の浴室内の壁面に、立上がり部分を高くした、浴室内で脱衣した衣服を収納するための脱衣棚１を設ける。
但し、衣服の出し入れ口は、高くしない。
【符号の説明】
【００１２】  １  脱衣棚
２  手すり
３  浴槽
【図１】
2019141548.tif 000003
(57)【要約】【課題】リュックサックを各自が装備しているが、水難事故に遭遇した時に、リュックサックが救命ボートに代わるものが無かった。【解決手段】リックサックを背負う際に背中に当たる面と正面と底面は浮力材を使用して、繋がっていて、底面、正面は背中に当たる面に向い合わせに折り重ねることができ、背中に当たる面と正面の左右はネットで囲定してあり収納部となり、囲いができている、その収納部の中に出し入れのできる収納袋を入れ背中に当たる面の上部に付けてあり、カバーを掛けるとリュックサックになり、収納袋を取りだし底面、正面を背中に当たる面に向かい合わせに折り重ねると平らになり、カバーを掛け、カバーの内側と正面の外側に付けてある面でカバーを押さえると救命ボートになるリュックサック。【選択図】図１
2019141542.tif 000002
【特許請求の範囲】
【請求項１】
（イ）リュックサックの背中に当たる面（１）と正面（２）と底面（３）には浮力材を使用しており、夫々が繋がって形成され、
（ロ）底面（３）と正面（２）は収納袋（５）を取り出すと、背中に当たる面（１）に向かい合わせに折り重ねることが出来、
（ハ）背中に当たる面（１）と正面（２）の左右はネット（４）で固定してあり、収納部（１４）になるように設け、
（ニ）囲いができているその収納部（１４）の中に、収納袋（５）を入れ背中に当たる面（１）の上部に取付けられている、
（ホ）カバー（６）をかけてカバー留（１２）をするとリュックサックに成るように設ける、
本発明は以上のように構成された、救命ボートになるリュックサック。
【発明の詳細な説明】
【技術分野】
【０００１】  本発明はリュックサックが救命ボートになるリュックサックに関するものである。
【背景技術】
【０００２】  従来、水に浮くリュックサックはあった。
【発明の概要】
【発明が解決しようとする課題】
【０００２】  海や山での野外活動は水辺で活動する機会が多く、リュックサックを各自が装備しているが、水難事故に遭遇した時に、リュックサックが救命ボートに代わるものが無かった。
【課題を解決するための手段】
【０００４】（イ）リックサックを背負う際に、背中に当たる面と正面と底面は浮力材を使用しており繋がっている。
（ロ）底面、正面は背中に当たる面に、向い合わせに折り重ねることができる。
（ハ）背中に当たる面と正面の左右はネットで囲定してあり収納部となる。
（ニ）囲いができている、その収納部の中に出し入れのできる収納袋を入れ、背中に当たる面の上部に付けてある。
（ホ）カバーを掛けると、リュックサックになり。
（ニ）収納袋を取りだし底面、正面を背中に当たる面に向かい合わせに折り重ねると平らになり、カバーを掛け、カバーの内側と正面の外側に付けてある面ファスナーでカバーを押さえると、救命ボートになるリュックサック。
以上のように構成された救命ボートになるリュックサック。
【発明の効果】
【０００５】  水難事故にあつた時は、とっさに救助する必要があったのでリュックサックが救命ボートに代わることにより、人命救助が速やかに行われ、緊急対応が可能になる。
【図面の簡単な説明】
【０００６】
【図１】本発明の収納部に荷物を入れた状態斜視図
【図２】本発明をたたんだ状態斜視図
【図３】図１の状態にカバーをした状態斜視図
【図４】水難の際、浮き具として使用する時の取付状態図
【図５】収納部から荷物を出した状態斜視図
【図６】本発明を使用する際の状態図
【発明を実施するための形態】
【０００７】  以下本発明の実施形態を説明する。
（イ）図１に示すようにリュックサックの背中に当たる面（１）と正面（２）と底面（３）には浮力材を使用しており、夫々が繋がって形成されている。
（ロ）底面（３）と正面（２）は収納袋（５）を取り出すと、背中に当たる面（１）に向かい合わせに折り重ねることが出来る。
（ハ）背中に当たる面（１）と正面（２）の左右はネット（４）で固定してあり、収納部（１４）になる囲いができる。
（ニ）囲いができている収納部（１４）の中に収納袋（５）を入れ、背中に当たる面（１）の上部に取付けられていて、そこにカバー（６）を掛けてカバー留（１２）をすることでリュックサックになる。
本発明は以上のような構造である。
【０００８】（イ）本発明を浮き具として使用する際はリュックサックを普通に背負い、肩ベルト（７）、腰ベルト（８）を付けて使用し、水難にあった時は腰ベルト（８）は付けたまま肩ベルト（７）を外してリュックサックを回して、体の前密着し、面（１）と正面（２）と底面（３）には浮力材を使用しているので、安定した浮力状態を保てることが出来る。
（ロ）リュックサックの中の出し入れすることのできる収納袋（５）を取り出し、底面（３）と正面（２）を背中に当たる面（１）に向かい合わせに折り重ねて平らにして、背中に当たる面（１）の上部についているカバー（６）を掛けて、カバー（６）の内側と正面（２）の外側に付けてある面ファスナ―（１３）で押えると救命ボートになる。
（ハ）カバー（６）の表面の上部中央に付けてあるひも収納ポケット（９）からひも先端リング（１１）を取り出してつかみ、一方の手で救命ボートを水難者に向けて投げることで救助することが出来る。
【符号の説明】
【０００９】  １  背中に当たる面
２  正面
３  底面
４  ネット
５  収納袋
６  カバー
７  肩ベルト
８  腰ベルト
９  ひも収納ポット
１０  ひも
１１  ひも先端リング
１２  カバー留
１３  面ファスナー
１４  収納部
【図１】
2019141542.tif 000003
【図２】
2019141542.tif 000004
【図３】
2019141542.tif 000005
【図４】
2019141542.tif 000006
【図５】
2019141542.tif 000007
【図６】
2019141542.tif 000008
(57)【要約】【課題】マンションのベランダでの布団干しが安全で日射しが当たるようにした布団干し装置を提供する。【解決手段】ガラス（９）張りの建屋に設けた布団台をベランダ（１６）にも出し入れできるようにする。【選択図】図１
2019141544.tif 000002
【特許請求の範囲】
【請求項１】
日射しが入るようにした建屋内に安全板を設け、スライド機構を有した布団台を建屋とベランダ内とを出し入れするようにした布団干し装置
【請求項２】
スライド機構を有しない布団台を用いた請求項１の布団干し装置
【請求項３】
スライド機構を有した布団台とスライド機構を有しない布団台を併用した請求項１の布団干し装置
【発明の詳細な説明】
【技術分野】
【０００１】この発明はベランダの布団干し装置に関するものである。
【背景技術】
【０００２】従来、マンションのベランダで布団干しをするには強風があったり物の落下の問題などで危険が予想されるためにベランダの内側で干すしかなかった。しかし、日陰が多いため布団に日射しが当たるのは少しであるし、また、日当たりの時間も短い。この問題を解決する布団干しの方法はなかった。
【先行技術文献】
【特許文献】
【０００３】
【特許文献１】
【発明の概要】
【発明が解決しようとする課題】
【０００４】安全に布団を広げて全面に日射しが当たるようにする。
【課題を解決するための手段】
【０００５】布団を平らに広げて全面に日射しが当たるようにするには布団の出し入れを考えるとベランダ壁の上がよく、これを安全に実施するにはガラス張りの建物の中が最良である。
【発明の効果】
【０００６】布団の全面に日射しが当たり、そしてそれが安全にできる。
【図面の簡単な説明】
【０００７】
【図１】本案の布団干し装置をマンションのベランダ壁に設置した見取り図である。
【図２】本案の引き出し式布団台をセットした正面図である。
【図３】本案の引き出し式布団台をセットした側面図である。
【図４】本案の平面図である。
【図５】本案の短レールをつないだ側面図である。
【図６】本案のキャスターのない布団台をセットした側面図である。
【図７】本案の二つの布団台を併用した側面図である。
【発明を実施するための形態】
【０００８】本案は布団干し装置に関するものである。布団を平らに広げたぐらいの面積でマンションの高さの建物を造り、これをベランダ（１６）の壁に取り付けた、ガラス（９）張りの建物の中で布団干しをするようにしたものである。四本の柱（１１）を角にしてこれを柱つなぎ（８）でつなぎ、ベランダ（１６）側以外の三方を暴風でも安全なようにそしてできるだけ日射しが入るように強力なガラス（９）張りとする。又、筋交や揺れ止を取り付けて補強する。正面左右の柱（７）の間に雨水が流れ込まないように水切り部材（１２）を設け、後ろの左右柱（７）の間にも同じ高さで部材を設ける。布団の出し入れを容易にするためこの二つの部材の上にレール（４）を乗せ、その上に布団台を乗せる。布団台に手前に引き出せられるようにキャスター（５）を付け、レール（４）には別の短レール（１３）をつなぐ。レール（４）の背面に短管（６）を固定し、短レール（１３）の接続箇所にはこの短管（６）に入れる棒状のガイドを設け、このガイドを短管（６）に入れてつなぐ。キャスター付き布団台（１）を引き出したとき短レール（１３）の抜け防止用と支えのためにベランダ（１６）の壁に支え棒（１４）を左右に設ける。支え棒（１４）は一端を上下に回せられるように取り付け、短レール（１３）の手前には掛け部を設けこれに着脱する。このキャスター付き布団台（１）の少し下に安全板（３）を設ける。上階のベランダ（１６）の裏側に合うように左右の柱（７）にシャッター（１０）を取り付ける。
本案は布団台を上記のような引き出し式でなくてもよい。レール（４）を設けずに代わりにキャスターを付けない布団台（２）を置くだけでもよい。この場合も少し下に安全板（３）を設ける。
また、本案は上記の二つの布団台を併用してもよい。そのときは上の位置には引き出し式でない布団台（２）にする。中の位置に引き出し式のキャスター付き布団台（１）とする。一番下には安全板を配置する。
本案の布団干し装置を使用すると台風でも落下物があっても安全であるので高層マンションでも使用が可能である。又、シャッター（１０）を閉めるので強風でも干せる。
本案はこれに限らずシャッター（１０）の代わりに幕などでもよく、柱つなぎ（８）の位置も任意でよい。
【符号の説明】
【０００９】１  キャスター付き布団台
２  布団台
３  安全板
４  レール
５  キャスター
６  短管
７  柱
８  柱つなぎ
９  ガラス
１０  シャッター
１１  シャッターレール
１２  水切り部材
１３  短レール
１４  支え棒
１５  揺れ止
１６  ベランダ
１７  仕切り板
【図１】
2019141544.tif 000003
【図２】
2019141544.tif 000004
【図３】
2019141544.tif 000005
【図４】
2019141544.tif 000006
【図５】
2019141544.tif 000007
【図６】
2019141544.tif 000008
【図７】
2019141544.tif 000009
(57)【要約】      （修正有）【課題】横向き又は仰向けで寝そべる際、腕や掌で体や頭を支えることなく姿勢を補助する、肘立て枕を提供する。【解決手段】頭を支えるヘッドレス１と体を支えるボデーサポーター４を、それぞれの角度と高さに分離独立してアンダープレート５に取り付け、横向き又は仰向けで寝そべる際の姿勢を、安楽に補助することを特徴とする肘立て枕。【選択図】図１
2019141550.tif 000002
【特許請求の範囲】
【請求項１】
頭を支えるヘッドレスと体を支えるボデーサポーターを、それぞれの角度と高さに分離独立してアンダープレートに取り付け、横向き又は仰向けで寝そべる際の姿勢を安楽に補助することを特徴とする肘立て枕。
【発明の詳細な説明】
【技術分野】
【０００１】  本発明は横に寝そべってテレビや音楽を視聴する際の姿勢を、安楽に補助するための肘立て枕に関するものである。
【背景技術】
【０００２】  従来、畳やジュウタンの上に寝そべってテレビを観たり音楽を聴く場合、肘下の腕を立てて掌を枕に頭部を支えてくつろぐ事がよくある。
なお、大きな背もたれクッションやリクライニング機能付きの座椅子を使用することなどが知られている。
【先行技術文献】
【０００３】  本発明に関連する先行技術文献のうち、当該特許出願時に知っているものがないので、開示すべき先行技術文献情報はない。
【発明の概要】
【発明が解決しようとする課題】
【０００４】  従来より、次のような問題点があった。
〈イ〉  肘下の腕を支柱に掌を枕にして寝そべる場合、長時間この姿勢を続けると、腕や        掌がシビレたり痛くなったりする。
〈ロ〉  大きなクッションを背もたれにする場合もあるが、これでは頭部を支えるは難し        い。
〈ハ〉  リクライニング機能の座椅子もあるが横向きの姿勢には適さない。
本発明は以上の問題点を解決しようとするものである。
【課題を解決するための手段】
【０００５】  頭を支えるヘッドレスと体を支えるボディサポーターを、それぞれの角度と高さに分離独立して、アンダープレートに取り付ける。
そこに体をあずけることにより、横向き又は仰向けで寝そべる際の姿勢を安楽に補助する。以上を特徴とする、肘立て枕である。
【発明の効果】
【０００６】  本発明は、ヘッドレスとボディサポーターをそれぞれ異った角度と高さでアンダープレート上に設けることにより、横向きや仰向けで寝そべる際の姿勢を安楽に補助する。
そのため、長時間同じ姿勢を続けても腕や掌を痛めることなく、更に横向きの場合、体の下側の腕の自由も確保することができる。
【図面の簡単な説明】
【０００７】
【図１】  本発明の側面からの斜視図である。
【図２】  本発明の上面からの斜視図である。
【図３】  本発明の横向きの仕様図である。
【図４】  本発明の仰向けの仕様図である。
【本発明を実施するための形態】
【０００８】  以下、本発明の実施の形態を説明する。
〈イ〉  アンダープレート（５）にポールベース（３）を設け、その上にポール（２）を        立てる
〈ロ〉  ポール（２）の上部にピン（６）を有したヘッドレス（１）を取り付ける。
〈ハ〉  アンダープレート（５）の上にポールベース（３）から間隔を置いて、ボデーサ        ポーター（４）を三角状の高い方をポールベース側にして取り付ける。
〈ニ〉  ヘッドレス（１）は聴覚確保のため、中央に穴を設けたドーナツ状とし、センタ        ー部に設けたピン（６）によって角度を変えることができる。
〈ホ〉  ポールベース（３）に立てたポール（２）は、ポールピン（７）を介して折りた        ためるため、収納時のスペースを省くことができる。
本発明は、以上の構成よりなっている。
本発明を使用する時は、横向き又は仰向けでヘッドレス（１）に頭部を乗せ、横向き又は仰向けでボデーサポーター（４）に体の側面又は背面を預ける。
【符号の説明】
【０００９】    １      ヘッドレス
２      ポール
３      ポールベース
４      ボデーサポーター
５      アンダープレート
６      ヘッドレスピン
７      ポールピン
【図１】
2019141550.tif 000003
【図２】
2019141550.tif 000004
【図３】
2019141550.tif 000005
【図４】
2019141550.tif 000006
(57)【要約】【課題】  メタルコアの除去を短時間で簡便に行うための方法と、それに用いられる装置を提する。【解決手段】メタルコアに穴を開けタッピング切刃をその穴に合わせ、自歯体台座を自分の歯の上に設け、袋ナットの頭を自歯体台座の方向に回転させるとメタルコアにを挿入される工程と締め付けナツトを自歯体台座方向に回転しながら進め、更に台座で回転させると、メタルコアとポールねじが持ち上がりメタルコアが除去され、自歯体を押えての作業なので歯根に無理な力を加える事無く、安全、速やかに作業が終了、患者や医師の負担が軽減されるポールねじ式メタルコア除去装置・【選択図】図１
2019141566.tif 000002
【特許請求の範囲】
【請求項１】
ポールねじ仕組は、タッピング切刃、普通ネジ、で加工された物で、前記と袋ナット、締め付けナット滑りワッシャ、自歯体台座、で構成されたポール式メタルコア除去装置。
【請求項２】
メタルコアに穴を開けタッピング切刃をその穴に合わせ、自歯体台座を自分の歯の上に設け、袋ナットの頭を自歯体台座の方向に回転させるとメタルコアが挿入される工程と締め付けナツトを自歯体台座方向に回転しながら進め、更に台座で回転させると、メタルコアとポールねじが持ち上がりメタルコアが除去され、自歯体を押えての作業なので歯根に無理なく力を加える事無く、安全、速やかに作業が終了される、ポールねじ式メタルコア除去装置の使用方法。
【発明の詳細な説明】
【技術の分野】
【０００１】本発明は、歯科治療に用いる装置に関するもので、特にメタルコアの引き抜きに用いる装置に関するものである。
【背景の技術】
【０００２】むし歯などで、大きく損傷した歯の治療においては、歯髄なで除去しなけらばならない場合がある。このような治療を施す際には、歯の内側が空洞となることから、修復のためにクラウンと称される金属部材を被せるために、コアと称される土台となる部材を所要箇所に取り付けることに成る。メタルコアは、コア自体に強度があり、保健適用のため安価であり、多用されている。
【０００３】しかし、このような治療を施した歯でも、経年変化で、歯根の下部に根尖症歯周炎などの障害が起きることがあり、治療のためのコアを除去する必要が生じる。このような場合、従来は、タービン、リトルジャイアント、マイナスドライバーなどの器具を用いて機械的に除去している。
【０００４】また、特許文献１には、両端を有する棒部と、前記棒部の一方端に繋がり、前記棒部の中心線の全部を含む一つの仮想平面の両端に、互いに対向する一対の主面を有する平胆部と、紀棒部の他方の端に繋がる把持部と、を備えた歯科用ツールが開示され、これを用いてメタルコアを歯から外すことが可能であるとしていえる。しかし、前記の器具やツールは、使用方法の簡略化の観点で改善の余地がある。
【先行技術文献】
【特許文献】
【０００５】
【特許文献１】特開２００６−２０５６２５号公報
【発明の概要】
【発明が解決しようとする課題】
【０００６】本発明の課題は、前記の問題点に鑑み、メタルコアの除去を短時間で簡便仁行うための方法と、それに用いられる装置を提供することにある。
【課題を解決するための手段】
【０００７】本発明は、前記課題を解決するために、従来の装置や器具に見られない、新規構造を備えた、メタルコア除去装置を鋭意検討した結果、なされたものである。【０００８】本発明は、ポールねじ組立て工程、ポールねじに、滑りワッシャ、締付けナット、袋ナット、から組合せされ、普通ねじに袋ナットを被せ、ポールねじをメタルコアの凹部に移動し袋ナツトの頭を回転しメタルコアの凹部に挿入して行く工程と、締め付けナツトを自歯体台座に移動し自歯体を押さえメタルコア除去をする、ポールねじ式メタルコアを除去装置である。【０００９】本発明はメタルコアに設けられた穴に、ポールねじタッピング切刃を前記組立ポールねじの袋ナットの頭を回転させ切刃を挿入し、締め付けナットを自歯体台座、方向に回転させメタルコアを除去装置の使用方法である、
【発明の効果】
【００１０】本発明によれば、クラウンを除いた後に、メタルコアに下穴を開けた穴に、前記ポールねじ組立工程の、ポールねじをメタルコア凹部に、入れ、先端タッピング切刃の反対側、袋ナット回転し、メタルコアとポールねじを接合させ、自分の歯の上に自歯体台座を設置し締め付けナットを自歯体台座方向に回転させ台座の所らで更に回転させるとポールねじとメタルコア持ち上がり歯や、歯根に無理な力を加えることなく、メタルコアの除去を速やか、かつ円滑に行える、ポールねじ式メタルコア除去装置使用方法
【図面の簡単な説明】
【００１１】
【図１】  本発明に係るポールねじ式メタルコア除去装置の一例を示す図  図（ａ）は平面図  図１（ｂ）は正面図、図１（ｃ）は側平面図、
【図２】  雌ねじをメタルコアに設けた状態を模式的に示した図、図２（ａ）は雌ねじをを設ける前の状態、図２（ｂ）は雌ねじを設けた状態。
【発明を実施するための状態】
【００１２】次に本発明の実施の形態について、具体的な図に基ずいて説明する。
【００１３】図１は、本発明に係るポールねじ式メルルコア除去装置の１例を示す図で、図１（ａ）は、平面図、図１（ｂ）は、正面図、図１（ｃ）は側平図である。図１に示した例において、ポールねじ１は、両端に２タッピング切刃と３普通ねじ、に４袋ナットを組合わせ更に自歯体台座と滑りワッシャが組込みされた、状態で示され手居る。
【００１４】図２は、雌ねじを、メタルコアに設けた状態を模式的に示した図で、図２（ａ）は雌ねじを設ける前の状態、図２（ｂ）は雌ねじを設けた状態である。ここに示したように、本発明のポールねじ式メタルコア除去装置を用いたメタルコアを除するには、クラン８を外しドリルを用いてメタルコアの図に示した位置に、雌ねじ１１を設ける。
【００１５】次に雌ねじ１１に、ポールねじ１のタッピング切刃２結合させ反対側普通ネジ３に袋ナット４を接合させ、メタルコア凹部に回転挿入する、
【００１６】前記ポールねじ組立においてメタルコア凹部に、ポールねじを重ね袋ナットを回転挿入し結合させる、ポールねじに自歯体台座を自分の歯の上に設置し締め付けナットを自歯体台座方向回転を行い、自歯体台座で更に回転を加え、自歯体に損傷無く作業の安全性を向上することも出来る。
【００１７】以上に説明したように、本発明によれば、歯科治療におけるメタルコアの除去作業を容易化する装置としの使用方法を提供できる。尚、本発明は、前記実施の形態に限定されるものではなく、本発明の分野における通常の知恵を有する者であれば想到し得る、各種変形、修正を含む、本発明の要旨を逸脱しない範囲の設計変更があっても、本発明に含まれることは勿論である。
【符号の説明】１・・・・・ポールねじ            ２・・・・・タッピング切刃
３・・・・・普通ねじ              ４・・・・・袋ナット
５・・・・・締め付けナット        ６・・・・・自歯体台座
７・・・・・滑りワッシャ          ８・・・・クラン
９・・・・・メタルコア            １０・・・・自歯体
１１・・・・・タッピング切刃
【図１】
2019141566.tif 000003
【図２】
2019141566.tif 000004
(57)【要約】      （修正有）【課題】本体色が変化する事で、内容物の温度を何度も確認する事が不要で、視覚的に温度の変化を判断する事が出来る哺乳瓶を提供する。【解決手段】哺乳瓶1は液体１００を収容可能な本体１０と、本体のフタ２０を有し、本体は、液体が収容されていない状態では所定の色であり、所定温度を超えた液体が収容された場合、少なくとも、液体が収容された部分１０ａの所定の色が透明になり、収容された液体の温度が所定温度以下になった場合に、所定の色に戻る。【選択図】図２
2019141564.tif 000002
【特許請求の範囲】
【請求項１】
液体を収容可能な本体を有する哺乳瓶であって、本体は、液体が収容されていない状態では所定の色であり、所定温度を超えた液体が収容された場合、少なくとも、液体が収容された部分の所定の色が透明になり、収容された液体の温度が所定温度以下になった場合に、所定の色に戻る哺乳瓶。
【発明の詳細な説明】
【技術分野】
【０００１】
本発明は、液体を収容可能な本体を有する哺乳瓶に関する。 
【背景技術】
【０００２】
従来、哺乳瓶でのミルクを作る際は熱湯を注ぎ粉ミルク類が溶けやすい熱湯を注いで作成する。
【発明の概要】
【発明が解決しようとする課題】
【０００３】
しかしながら、従来の哺乳瓶は変温を表す機能が備わっておらず、乳児が飲む事の出来る温度を、保護者が自分の手につけたり飲んで確かめた後に乳児に飲ませていた。 
【０００４】
本発明は、本体色が変化する事で、内容物の温度を何度も確認する事が不要で、視覚的に温度の変化を判断する事が出来る哺乳瓶を提供する事を目的とする。 
【課題を解決するための手段】
【０００５】
本発明に係る哺乳瓶は、液体を収容可能な本体を有する哺乳瓶であって、本体は、液体が収容されていない状態では所定の色であり、所定温度を超えた液体が収容された場合の、少なくとも、液体が収容された部分の所定の色が透明になり、収容された液体の温度が所定温度以下になった場合に、所定の色に戻る。
【発明の効果】
【０００６】
本考察によれば、本体色が変化する事で、内容物の温度を何度も確認する事が不要で、視覚的に温度の変化を判断する事が出来る。 
【図面の簡単な説明】
【０００７】
【図１】図１は、本発明の実施形態に係る哺乳瓶の斜視図である。
【図２】図２は、本発明の実施形態に係る哺乳瓶の斜視図である。
【図３】図３は、本発明の実施形態に係る哺乳瓶の斜視図である。
【発明を実施するための形態】
【０００８】
哺乳瓶1は液体100を収容可能な本体10と、本体10のフタ20を有し、本体10は、液体100が収容されていない状態では所定の色であり(図1に示す状態)、所定温度(例えば、40℃等)を超えた液体が収容された場合、少なくとも、液体100が収容された部分10aの所定の色が透明になり(図2に示す状態)、収容された液体100の温度が所定温度以下になった場合に、所定の色に戻る(図3に示す状態)。 
【０００９】
本実施形態の哺乳瓶によれば、熱湯により哺乳瓶の本体色が透明色に変化し、40度から43度になると本体色が戻る。本体色が戻る事により、乳児が内容物を飲むのに適温で安全な温度で飲む事が出来、火傷を未然に防ぐ事が出来る。また、本体10は、ガラス瓶とシリコンが一緒になった材質を用いているため、落下時の衝撃吸収力に優れ、破損しにくい構造となっている。本体色が変化する事で、液体100の温度を何度も確認する事が不要で、視覚的に温度の変化を判断する事が出来る。  
【符号の説明】
【００１０】
１ 哺乳瓶
１０  本体
１０a 本体の部分
２０  フタ
【図１】
2019141564.tif 000003
【図２】
2019141564.tif 000004
【図３】
2019141564.tif 000005
(57)【要約】【課題】義歯製作の時間と費用を削減するために、３Ｄプリンターを利用した維持装置と義歯床の一体型義歯を提供する。【解決手段】ＣＡＤにより維持装置（１）と義歯床（２）が一体となる義歯の３Ｄデータを製作後、３Ｄプリンターで出力し、必要に応じて他のパーツ（３）を付与し義歯を完成させる。以上の手法よりなる義歯である。【選択図】図１
2019141553.tif 000002
【特許請求の範囲】
【請求項１】
３Ｄプリンターを利用した維持装置（１）と義歯床（２）の一体型義歯。
【発明の詳細な説明】
【技術分野】
【０００１】この発明は３Ｄプリンターを利用した維持装置と義歯床の一体型義歯に関するものである。
【背景技術】
【０００２】（イ）模型を使用し義歯を製作する。
（ロ）ＣＡＤ／ＣＡＭで製作したパーツを部分的に利用し義歯を製作する。
従来、義歯の製作方法は以上の手法によるものだった。
【発明の概要】
【発明が解決しようとする課題】
【０００３】これは、次のような欠点があった。
従来、義歯の製作には模型が必要であった。模型を製作し、その後にその模型に合わせて義歯を製作する手法は、多くの時間と費用を費やす必要があった。またＣＡＤ／ＣＡＭ等の技術は複数のマテリアルを組み合わせたものを同時に組み込みながら製作するのが困難であった。したがって複数の材質からなる義歯を製作するのが困難であった。
本発明は、以上のような欠点をなくすためになされたものである。
【課題を解決するための手段】
【０００４】ＣＡＤにより維持装置（１）と義歯床（２）が一体となる義歯の３Ｄデータを製作後、３Ｄプリンターで出力し、必要に応じて他のパーツ（３）を付与し義歯を完成させる。
本発明は、以上の手法よりなる義歯である。
【発明の効果】
【０００５】義歯データや各パーツのデータがあれば、模型を製作する事なく義歯を製作する事が出来る。通常、義歯を製作するためには複数回の歯科医院への来院が必要であり、義歯の製作に数週間必要になる事もあるが、この手法を利用すると保存してあるデータと同じ内容の義歯であればすぐに製作する事ができる。同じ義歯を同時にスペアとして製作する事や、必要な時に必要な数だけ同じ義歯を製作する事が出来る。データとＣＡＤ／ＣＡＭ等の設備があれば、製作場所を選ばず同じ義歯を製作する事ができる。したがって震災等の緊急時のリスクマネージメントや海外への輸出等ができる。例えば口腔内スキャナー等を発展途上国等に持っていき、インターネットで口腔内のデータを日本に送れば、日本からその国に義歯を輸出する事ができる。
【図面の簡単な説明】
【０００６】
【図１】本発明の断面図である。
【発明を実施するための形態】
【０００７】以下、本発明を実施するための手法について説明する。
ＣＡＤにより維持装置（１）と義歯床（２）が一体となる義歯の３Ｄデータを製作後、３Ｄプリンターで出力し、必要に応じて他のパーツ（３）を付与し義歯を完成させる。
本発明は、以上のような義歯である。
【符号の説明】
【０００８】１  維持装置
２  義歯床
３  パーツ
【図１】
2019141553.tif 000003